(57)【要約】【課題】作業者にとって無理のない体勢で塗装作業が行うことができ、また種々の被塗装面の向きに対しても容易に刷毛の向きを調節して良好な塗装を達成することができ、更に刷毛を塗料バケツに簡単に掛止めて移動したり、刷毛を折り曲げた状態で持ち運んだり収納することができる塗装用刷毛の提供を課題とする。【解決手段】毛を束ねた刷毛部１と、その刷毛部１を保持する保持部１０と、該保持部１０に取り付けられる握り手部２０とで構成される塗装用刷毛であって、保持部１０を握り手部２０に対して回動自在に連結してある。【選択図】      図１
0003127193.tif 000002
【実用新案登録請求の範囲】
【請求項１】
毛を束ねた刷毛部と、その刷毛部を保持する保持部と、該保持部に取り付けられる握り手部とで構成される塗装用刷毛であって、
保持部を握り手部に対して回動自在に連結してあることを特徴とする塗装用刷毛。
【請求項２】
握り手部には、握力の強弱によって保持部の回動と静止とを調節する調節手段を設けたことを特徴とする請求項１に記載の塗装用刷毛。
【請求項３】
調節手段は、握り手部の基端の少し手前から先端までを構成する一対の割片からなり、該一対の割片が有する弾性付勢力によって保持部を常時静止状態に保つと共に、握り手部を強く握ることで前記一対の割片の弾性付勢力を緩めて保持部の回動を容易にすることを特徴とする請求項１又は２に記載の塗装用刷毛。
【請求項４】
刷毛部を保持する保持部は、握り手部に対して着脱可能に連結してあることを特徴とする請求項１〜３の何れかに記載の塗装用刷毛。
【請求項５】
保持部の回動範囲は、前方への回動は刷毛部が握り手部と並行する位置を最大回動位置とし、後方への回動は保持部の背面が握り手部に当接する位置までとし、前記保持部の前方への最大回動位置において刷毛部と握り手部との間に隙間が確保されるようにしてあることを特徴とする請求項１〜４の何れかに記載の塗装用刷毛。
【考案の詳細な説明】
【技術分野】
【０００１】
本考案は、塗装用刷毛に関する。
【背景技術】
【０００２】
従来、塗装作業は、被塗装物の種々の配置や構造に対応して適切な塗装を行うため、塗装作業者が種々の体勢をとり、また刷毛を種々の角度に持ち替えて、その作業を行っていた。しかし長時間の塗装作業等では、無理な体勢をとることにより作業効率が悪くなると共に、作業者の手首や腰などに負担が及び故障を発生させるという問題があった。
一方、特開２００１−４６１５０号公報には、多数の毛状体を束ねた毛束体を支持部材で支持して複数の刷毛を設け、その刷毛を互いに対向させて上下に回動自在となる取付部材に取り付け、該取付部材の上端中心に回転軸を設けて電動ドライバーに挿着し、該電動ドライバーの回転方向に刷毛が回転するよう構成されたものが提供されている。
また、特表平９−５０６７９７号公報には、刷毛柄部の先端に設けた枢動部材にブリスル群（毛束体）が着脱自在に交換ができるよう構成されたものが提供されている。
【特許文献１】特開２００１−４６１５０号公報
【特許文献２】特表平９−５０６７９７号公報
【考案の開示】
【考案が解決しようとする課題】
【０００３】
上記特許文献１に示す刷毛器具は、突起する塗装面、例えばボルトやナット等の螺着部分の突起した表面塗装等に回転させて早く塗装ができるものであるが、通常の塗装対象である壁面や天井、構造物等の塗装は、その構成上できない問題があった。
また上記特許文献２に示す塗装用刷毛は、毛束体であるブリスルの交換を目的としたものであって、塗装作業に関しては従来と変わらない問題があった。
【０００４】
そこで本考案は上記従来における問題を解消し、作業者にとって無理のない体勢で塗装作業が行うことができ、また種々の被塗装面の向きに対しても容易に刷毛の向きを調節して良好な塗装を達成することができ、更に刷毛を塗料バケツに簡単に掛止めて移動したり、刷毛を折り曲げた状態で持ち運んだり収納することができる塗装用刷毛の提供を課題とする。
【課題を解決するための手段】
【０００５】
上記課題を達成するための本考案の塗装用刷毛は、毛を束ねた刷毛部と、その刷毛部を保持する保持部と、該保持部に取り付けられる握り手部とで構成される塗装用刷毛であって、保持部を握り手部に対して回動自在に連結してあることを第１の特徴としている。
また本考案の塗装用刷毛は、上記第１の特徴に加えて、握り手部には、握力の強弱によって保持部の回動と静止とを調節する調節手段を設けたことを第２の特徴としている。
また本考案の塗装用刷毛は、上記第１又は第２の特徴に加えて、調節手段は、握り手部の基端の少し手前から先端までを構成する一対の割片からなり、該一対の割片が有する弾性付勢力によって保持部を常時静止状態に保つと共に、握り手部を強く握ることで前記一対の割片の弾性付勢力を緩めて保持部の回動を容易にすることを第３の特徴としている。
また本考案の塗装用刷毛は、上記第１〜第３の何れかの特徴に加えて、刷毛部を保持する保持部は、握り手部に対して着脱可能に連結してあることを第４の特徴としている。
また本考案の塗装用刷毛は、上記第１〜第４の何れかの特徴に加えて、保持部の回動範囲は、前方への回動は刷毛部が握り手部と並行する位置を最大回動位置とし、後方への回動は保持部の背面が握り手部に当接する位置までとし、前記保持部の前方への最大回動位置において刷毛部と握り手部との間に隙間が確保されるようにしてあることを第５の特徴としている。
【考案の効果】
【０００６】
請求項１に記載の塗装用刷毛によれば、毛を束ねた刷毛部と、その刷毛部を保持する保持部と、該保持部に取り付けられる握り手部とで構成される塗装用刷毛であって、保持部を握り手部に対して回動自在に連結してあるので、
例えば天井を塗装する場合は、保持部を握り手部に対して直角になるよう回動させ、刷毛部を上向きに調節した状態で塗装作業を行うことができる等、握り手部に対する保持部の角度を自由に変更することで、刷毛部の方向を自由に設定することができ、よって作業者の持ち手の体勢が無理なく行えるようにできる。
【０００７】
請求項２に記載の塗装用刷毛によれば、上記請求項１に記載の構成による効果に加えて、握り手部は、握力の強弱によって保持部の回動と静止とを調節する調節手段を設けたので、
刷毛部の角度を調節する場合には、握り手部を握る握力を強くすることによって容易に回動調節することができる。
また塗装作業中は握力を強くしないことで刷毛部を静止状態で確実に保持でき、塗装する対象物や部分に合わせ、刷毛部の方向を塗装し易い方向に回動調節して塗装作業が行うことができる。
【０００８】
請求項３に記載の塗装用刷毛によれば、上記請求項１又は２に記載の構成による効果に加えて、調節手段は、握り手部の基端の少し手前から先端までを構成する一対の割片からなり、該一対の割片が有する弾性付勢力によって保持部を常時静止状態に保つと共に、握り手部を強く握ることで前記一対の割片の弾性付勢力を緩めて保持部の回動を容易にするので、
作業者は、塗装作業中において刷毛部の方向を変える必要が生じた場合、自己が握っている割片の握り具合をそのまま強くすることで、特別な器具を使用することなく、簡単に刷毛部の方向を変えることができる。
【０００９】
請求項４に記載の塗装用刷毛によれば、上記請求項１〜３の何れかに記載の構成による効果に加えて、刷毛部を保持する保持部は、握り手部に対して着脱可能に連結してあるので、
刷毛部の消耗や塗装の色変え等による刷毛部の交換が容易にできる。
【００１０】
請求項５に記載の塗装用刷毛によれば、上記請求項１〜４の何れかに記載の構成による効果に加えて、保持部の回動範囲は、前方への回動は刷毛部が握り手部と並行する位置を最大回動位置とし、後方への回動は保持部の背面が握り手部に当接する位置までとし、前記保持部の前方への最大回動位置において刷毛部と握り手部との間に隙間が確保されるようにしてあるので、
塗装作業途中の休憩時や作業終業後に保持部を回動させ、斜めに形成された保持部を折り曲げると、握り手部との間が鋭角となって塗料バケツの縁に掛止めすることができる。また最も前方へ折り曲げた状態（最大回動位置）でも、刷毛部が握り手部と並行となり、隙間が確保されるので、塗料が握り手部に付く心配がない。よって小さく嵩張らず、持ち運びや収納に便利である。
【考案を実施するための最良の形態】
【００１１】
以下の図面を参照して、本考案の実施形態を詳細に説明する。
図１は本考案の実施形態に係る塗装用刷毛の斜視図、図２は本考案の塗装用刷毛の構成を示す分解斜視図、図３は握り手部を示す図、図４は握り手部に対して保持部を最大回動位置まで前方へ回動させた状態を示す図、図５は保持部を回動させて塗装バケツに掛止めた状態を示す図である。
【００１２】
先ず図１、図２を参照して、本考案の塗装用刷毛は、刷毛部１と、その刷毛部１を保持する保持部１０と、該保持部１０に取り付けられる握り手部２０とで構成される。
【００１３】
刷毛部１は、その先端となる毛先１ａと、該毛先１ａを後端で束ねる固着部１ｂとで形成される。
【００１４】
保持部１０は、斜めに形成され対向して設けられる一対の保持枠板１１、１２を有する。
保持枠板１１、１２は、その側壁１１ａ、１２ａに複数の切溝１１ｂ、１２ｂを設け、後端上部にネジ孔１１ｃ、１２ｃを設けている。
保持枠板１１、１２は、斜めに形成された枠内に刷毛部１の前記固着部１ｂを挟着し、針金１３を側壁１１ａ、１２ａの切溝１１ｂ、１２ｂに通して卷回することで、刷毛部１を斜めに固定している。
【００１５】
図３も参照して、握り手部２０は、その基端付近に掛止孔２１を設け、該掛止孔２１のある基端付近を除く先端までの全域を、中心に割溝２２を形成した一対の割片２３、２３で構成している。
握り手部２０の先端付近には、前記一対の割片２３を貫通するネジ孔２４を設けている。
割溝２２は、前記一対の割片２３に弾性付勢力を付与する。即ち、一対の割片２３が相互により近接する位置に強制配置された状態においては、該一対の割片２３には元の状態に復帰しようとする弾発力が生じる。
握り手部２０の一対の割片２３は、その間隔を強制的に狭くした状態で、その先端を一対の保持枠板１１、１２の間に挿入し、保持枠板１１、１２のネジ孔１１ｃ、１２ｃと握り手部２０のネジ孔２４とにボルト３０を挿通してナット４０で螺着する。これによって保持部１０と握り手部２０とが連結される。この連結状態においては、前記握り手部２０の一対の割片２３による弾性付勢力が連結部に作用し、保持部１０は容易には回動しない状態となっている。
【００１６】
握り手部２０を上記のような構成にしたことにより、一対の割片２３を握る握力を強くすると、一対の割片２３による弾発力が抑えられ、保持部１０の回動が容易となる。
また一対の割片２３に対する握力を弱めると、一対の割片２３の弾発力が強くなり、保持部１０が確実に静止状態に保持される。このようにして、握力の強弱で調節可能になる。
【００１７】
保持部１０の保持枠板１１、１２は、握り手部２０と着脱可能にしている。
図４も参照して、保持部１０の回動範囲は、前方への回動は、刷毛部１が握り手部２０に対して多少の隙間Ｓを持って略並行となる位置を最大回動位置とする。この最大回動位置でストップするように、保持部１０に図示しないストッパーを設けることができる。このストッパーは前記一対の保持枠板１１、１２に巻回された針金１３で兼用することができる。
一方、後方への回動は保持枠板１１、１２の背面が握り手部２０に当接する位置を最大回動位置としている。
【００１８】
前記刷毛部１を含む保持部１０側と握り手部２０側とは、略同寸法となるように構成して、半折状態において嵩が小さくなるようにしている。また保持部１０を握り手部２０に対して最大回動位置付近まで前方へ回動させることで、保持部１０と握り手部２０との交差角度が３０°未満の鋭角となるように構成し、これによって図５に示すように、塗料バケツ５０への掛止めがし易いようにしている。
【００１９】
本考案の塗装用刷毛によれば、保持部１０の保持枠板１１、１２が握り手部２０に対して回動自在となることで、塗装作業における塗装対象物や部分に対して刷毛の方向や角度を自由に決めることができ、無理な体勢での塗装作業が軽減され、作業効率が高まると共に、作業中や終業時に塗料バケツ５０へ掛止めすることができる。また刷毛部１の交換もスムーズに行え、折り曲げて小さくすることで、持ち運びや収納にも便利である。
【図面の簡単な説明】
【００２０】
【図１】本考案の実施形態に係る塗装用刷毛の斜視図である。
【図２】本考案の塗装用刷毛の構成を示す分解斜視図である。
【図３】握り手部を示す図である。
【図４】握り手部に対して保持部を最大回動位置まで前方へ回動させた状態を示す図である。
【図５】保持部を回動させて塗料バケツに掛止めた状態を示す図である。
【符号の説明】
【００２１】
１              刷毛部
１ａ            毛先
１ｂ            固着部
１０            保持部
１１、１２      保持枠板
１１ａ、１２ａ  側壁
１１ｂ、１２ｂ  切溝
１１ｃ、１２ｃ  ネジ孔
１３            針金
２０            握り手部
２１            掛止孔
２２            割溝
２３            割片
２４            ネジ孔
３０            ボルト
４０            ナット
５０            塗料バケツ
Ｓ              隙間
【図１】
0003127193.tif 000003
【図２】
0003127193.tif 000004
【図３】
0003127193.tif 000005
【図４】
0003127193.tif 000006
【図５】
0003127193.tif 000007